(57)【特許請求の範囲】
【請求項１】
電子的に撮影された画像信号を記録すると共に外部へ伝送可能に構成された電子的なカメラにおいて、
光学系により結像された像を画像信号に変換して出力する撮像手段と、
画像記録媒体または画像通信回路構体等のデバイス構体を着脱自在に且つこのデバイス構体に対する信号の授受が可能なように保持するためのデバイス構体保持手段と、
上記撮像手段から出力された画像信号を処理しこの信号に対応する画像データを上記デバイス構体保持手段に装着された上記画像記録媒体に記録する記録手段と、
上記記録手段によって上記画像記録媒体に記録された画像データを外部の回線を通して伝送するための画像通信手段と、
上記記録手段によって処理された画像データを記録するために上記カメラに内蔵されて設けられた内蔵メモリと、
上記デバイス構体保持手段に上記画像記録媒体が装着されていることを検出したときには、上記画像データの記録先を上記画像記録媒体に指定し且つ上記画像通信手段を用いて上記画像記録媒体に記録された画像データを外部の回線を通して伝送せしめるように制御し、更に上記デバイス構体保持手段に装着されているデバイス構体が上記画像通信回線構体であることを検出したときには、上記画像データの記録先を上記内蔵メモリに指定し且つ上記画像通信回路構体を用いて上記内蔵メモリに記録された画像データを外部の回線を通して伝送せしめるように制御する制御手段と、
を備えたことを特徴とするカメラ。
【請求項２】
電子的に撮影された画像信号を記録すると共に外部へ伝送可能に構成された電子的なカメラにおいて、
光学系により結像された像を画像信号に変換して出力する撮像手段と、
画像記録媒体または画像通信回路構体等のデバイス構体を着脱自在に且つこのデバイス構体に対する信号の授受が可能なように保持するためのデバイス構体保持手段と、
上記撮像手段から出力された画像信号を処理しこの信号に対応する画像データを上記デバイス構体保持手段に装着された上記画像記録媒体に記録する記録手段と、
上記記録手段によって上記画像記録媒体に記録された画像データを外部の回線を通して伝送するための画像通信手段と、
上記記録手段によって処理された画像データを記録するために上記カメラに内蔵されて設けられた内蔵メモリと、
上記デバイス構体保持手段に上記画像通信回路構体が装着されていることを検出した場合には、上記内蔵メモリに保持された画像データを外部の回線を通して伝送するに際し、伝送のための機能部として上記画像通信手段または上記画像通信回路構体のいずれかを選択する操作を行なうための通信機能部選択手段と、
上記デバイス構体保持手段に上記画像記録媒体が装着されていることを検出したときには、上記画像データの記録先を上記画像記録媒体に指定し且つ上記画像通信手段を用いて上記画像記録媒体に記録された画像データを外部の回線を通して伝送せしめるように制御し、更に上記デバイス構体保持手段に装着されているデバイス構体が上記画像通信回線構体であることを検出したときには、上記画像データの記録先を上記内蔵メモリに指定し、この内蔵メモリに記録された画像データを上記通信機能選択手段により選択され通信機能部を用いて外部の回線を通して伝送せしめるように制御する制御手段と、
を備えたことを特徴とするカメラ。
【発明の詳細な説明】
【０００１】
【産業上の利用分野】
本発明は、光学系を通して得られた像を撮像素子により画像信号（処理後は画像データ）に変換し、この画像データを必要に応じて記録媒体に記録しまたは内蔵された内蔵メモリに記録し、更に伝送する機能を有した電子的なカメラに関する。
【０００２】
【従来の技術】
従来の電子的なカメラは、撮像動作によって得た画像信号を適用された記録媒体に記録するだけのものであったが、近年、ディジタル化された画像データを圧縮処理するなどして記録すると共に、所要に応じて、外部の回線を通して伝送する機能が付加される等、その機能および利用範囲が極めて多岐に渡るようになりつつある。
【０００３】
【発明が解決しようとする課題】
しかしながら、従来のこの種のカメラでは、通信動作を行うに際しては、専ら内蔵固定化された単一の通信機能部を用いて画像の伝送を行うものであり、近年出現した、所謂モデムカード或いは通信カード等の種々の通信機能回路構体（メモリカードと相似な外形を持った通信用のデバイス構体等）を十分に活用し得るような機能については何等考慮されていない。本発明は上記の点に鑑み、内蔵固定化された通信機能部に加え、自己に適合する多様な通信機能回路構体のいずれをも十分に活用し得るようなこの種のカメラを提供しようとするものである。
【０００４】
【課題を解決するための手段および作用】
上記目的を達成する本発明のカメラは、電子的に撮影された画像信号を記録すると共に外部へ伝送可能に構成された電子的なカメラであって、１つの局面から見た表現では：
光学系により結像された像を画像信号に変換して出力する撮像手段と、
画像記録媒体又は画像通信回路構体等のデバイス構体を着脱自在に且つこのデバイス構体に対する信号の授受が可能なように保持するためのデバイス構体保持手段と、
上記撮像手段から出力された画像信号を処理しこの信号に対応する画像データを上記デバイス構体保持手段に装着された上記画像記録媒体に記録する記録手段と、
上記記録手段によって上記画像記録媒体に記録された画像データを外部の回線を通して伝送するための画像通信手段と、
上記記録手段によって処理された画像データを記録するために上記カメラに内蔵されて設けられた内蔵メモリと、
上記デバイス構体保持手段に上記画像記録媒体が装着されていることを検出したときには、上記画像データの記録先を上記画像記録媒体に指定し且つ上記画像通信手段を用いて上記画像記録媒体に記録された画像データを外部の回線を通して伝送せしめるように制御し、更に上記デバイス構体保持手段に装着されているデバイス構体が上記画像通信回路構体であることを検出したときには、上記画像データの記録先を上記内蔵メモリに指定し且つ上記画像通信回路構体を用いて内蔵メモリに記録された画像データを外部の回線を通して伝送せしめるように制御する制御手段と、
を備えたことを特徴としている。
【０００５】
また、他の１つの局面から見た本発明は：
電子的に撮影された画像信号を記録すると共に外部へ伝送可能に構成された電子的なカメラであって：
光学系により結像された像を画像信号に変換して出力する撮像手段と、
画像記録媒体又は画像通信回路構体等のデバイス構体を着脱自在に且つこのデバイス構体に対する信号の授受が可能なように保持するためのデバイス構体保持手段と、
上記撮像手段から出力された画像信号を処理しこの信号に対応する画像データを上記デバイス構体保持手段に装着された上記画像記録媒体に記録する記録手段と、
上記記録手段によって上記画像記録媒体に記録された画像データを外部の回線を通して伝送するための画像通信手段と、
上記記録手段によって処理された画像データを記録するために上記カメラに内蔵されて設けられた内蔵メモリと、
上記デバイス構体保持手段に、上記画像通信回路構体が装着されていることを検出した場合には、上記内蔵メモリに保持された画像データを外部の回線を通して伝送する際に、伝送のための機能部として上記画像通信手段または上記画像通信回路構体のいずれかを選択する操作を行なうための通信機能部選択手段と、
上記デバイス構体保持手段に上記画像記録媒体が装着されていることを検出したときには、上記画像データの記録先を上記画像記録媒体に指定し且つ上記画像通信手段を用いて上記画像記録媒体に記録された画像データを外部の回線を通して伝送せしめるように制御し、更に上記デバイス構体保持手段に装着されているデバイス構体が上記画像通信回路構体であることを検出したときには、上記画像データの記録先を上記内蔵メモリに指定し、この内蔵メモリに記録された画像データを上記通信機能部選択手段により選択された通信機能部を用いて外部の回線を通して伝送せしめるように制御する制御手段と、
を備えたことを特徴としている。
【００１２】
【発明の実施の形態】
以下、図面を参照して本発明の実施の形態を詳述に説明することを通して、本発明を明らかにする。
図１は、本発明の一つの実施の形態としての電子カメラの構成を示すブロック図である。図１において、撮像レンズ１、光学的ローパスフィルタ２を通して撮像素子としてのＣＣＤイメージセンサ３の光電変換面に結像された被写体像は、このＣＣＤイメージセンサ３により電気的信号に変換さる。この電気的信号がサンプルホールド回路４を通して撮像プロセス回路５に供給され、この回路５によりＹ信号とＣ信号に変換される。撮像プロセス回路５の出力はＹ信号のＡ／Ｄコンバータ６およびＣ信号のＡ／Ｄコンバータ７により夫々ディジタル画像データに変換され、メモリコントロール回路８を介してフレームメモリ９に格納される。
【００１３】
ＣＣＤイメージセンサ３はＣＣＤ駆動用タイミング信号発生器１１からのタイミング信号に応動するＣＣＤ垂直転送クロックドライバ１０により駆動される。ＣＣＤ駆動用タイミング信号発生器１１における基本的クロック信号は同期信号発生器１２から供給される同期信号に基づき生成される。ＣＣＤ駆動用タイミング信号発生器１１の出力は撮像プロセス回路５およびメモリコントロール回路８にも供給される。
【００１４】
フレームメモリ９に一旦格納された画像データはメモリコントロール回路８を介して読み出され公知の画像データ圧縮処理の一つであるＤＣＴ（離散コサイン変換）処理を行うＤＣＴ回路１３、量子化および符号化処理を行うコーダー１４をこの順に介して圧縮処理され、この圧縮処理が施された画像データがＩＣカードインターフェース（Ｉ／Ｆ）回路１５に送り込まれる。図示しないカメラ本体に設けられたスロット部（カードスロット）の所定部に設けられたカードコネクタ１６にＩＣメモリカード１７が接続されているときにはこのＩＣメモリカード１７に、ＩＣカードインターフェース（Ｉ／Ｆ）回路１５の出力である圧縮処理が施された画像データが記録され得るように構成されている。
【００１５】
ＩＣカードインターフェース（Ｉ／Ｆ）回路１５の出力である圧縮処理が施された画像データはまた、本カメラに内蔵されたバッファメモリ１８に供給されここで保持され得るようになされている。バッファメモリ１８に保持された画像データはＩＣカードインターフェース（Ｉ／Ｆ）回路１５側から読み出しができるように構成されている。
【００１６】
上記コーダ１４は復号化および逆量子化処理機能（デコーダ機能）を含み、ＤＣＴ回路１３はＩＤＣＴ（逆離散コサイン変換）処理機能を含んでおり、ＤＣＴ回路１３からコーダ１４を介してＩＣカードインターフェース（Ｉ／Ｆ）回路１５への画像データの圧縮処理の流れは可逆的であり、逆方向の流れでは圧縮画像データの伸長処理が行われる。
【００１７】
ＩＣメモリカード１７またはバッファメモリ１８からＩＣカードインターフェース（Ｉ／Ｆ）回路１５に読み出された圧縮画像データは上記の逆方向の流れに沿った伸長処理を受け、メモリコントロール回路８を介してフレームメモリ９内に展開される。このようにフレームメモリ９内に展開された画像データはＹ系のＤ／Ａコンバータ１９およびＣ系のＤ／Ａコンバータ２０により夫々アナログ画像信号に変換される。
【００１８】
Ｙ系のＤ／Ａコンバータ１９の出力には加算回路２１でメモリコントロール回路８から供給される同期信号が付加されてローパスフィルタ（ＬＰＦ）２２に供給される。一方、Ｃ系のＤ／Ａコンバータ２０の出力はバンドパスフィルタ（ＢＰＦ）２３に供給される。これらローパスフィルタ（ＬＰＦ）２２の出力であるアナログＹ信号およびバンドパスフィルタ（ＢＰＦ）２３の出力であるアナログＣ信号はＳ端子２４に供給されて、所謂ＹＣ分離のＳ端子出力となる。
【００１９】
また、上記アナログＹ信号およびアナログＣ信号は加算回路２５により混合されてビデオ出力端子２６から出力可能になされている。加算回路２５のＹＣ混合の出力はまた本カメラに備えられたＥＶＦ（電子ビューファインダ）２７に供給されてここで再生画像が観察可能になされ、また、上記Ｓ端子２４またはビデオ出力端子２６に適宜のモニタを接続すればこのモニタによっても同様に再生画像が観察可能となる。
【００２０】
次に、光学系や撮像機能部まわりの構成について説明を補足する。ＡＦ（オートフォカス）用のフォーカシングレンズ駆動モータ２８およびズームレンズ駆動用のズームモータ２９がモータドライバ３０からの夫々の出力により駆動されるように構成されている。また、測光用の測光センサ３１の出力が測光回路３２に入力されて撮影時の測光が行われるようになされている。測光回路３２の出力はストロボ制御回路３３に供給され、このストロボ制御回路３３の出力でストロボ３４の発光制御がなされる。ストロボ制御回路３３の出力はまた外部ストロボ端子３５に供給されて、この端子３５に接続された外部ストロボの制御が可能になされている。
【００２１】
上述のモータドライバ３０および測光回路３２はいずれもレンズＣＰＵ３６からの指令によって制御される。このレンズＣＰＵ３６には前述のサンプルホールド回路４および撮像プロセス回路５からの信号が供給され、レンズＣＰＵ３６はこれらの信号に基づいて制御指令を発する。
【００２２】
本カメラの適所に設けられ種々の動作状態の表示などを行うＬＣＤパネル３７および本カメラに対する種々の操作を行うためのスイッチ郡３８が設けられ、これらＬＣＤパネル３７およびスイッチ郡３８はサブＣＰＵ３９により表示動作が制御され或いはスイッチ操作の状態が受け付けられる。尚、スイッチ郡３８については、図３２を用いて後に詳述する。
【００２３】
レンズＣＰＵ３６、サブＣＰＵ３９、コーダ１４、および、ＩＣカードインターフェース回路１５はメインＣＰＵ４０による統括的制御下におかれる。
【００２４】
メインＣＰＵ４０は本カメラに内蔵固定されて設けられた画像通信機能を司る通信制御回路４１とバスで結ばれている。この通信制御回路４１が本発明における画像通信手段の主体的要素をなす。上述したＩＣカードインターフェース回路１５からメインＣＰＵ４０に送り込まれた圧縮画像データがこのバスを通して通信制御回路４１に供給される。この通信制御回路４１の上記メインＣＰＵ４０とは反対側の入出力部は本カメラの通信用端子４２と結ばれている。この通信用端子４２に通信用外部モデム４３が接続されているときには、この通信用外部モデム４３を介して通信用外部回線４４を通して画像データを伝送することが可能となる。
【００２５】
一方、既述のカードコネクタ１６は記録媒体たるＩＣメモリカード１７のみならずＩＣメモリカード等と相似的に成形された画像通信回路構体である所謂通信カード４５等のデバイス構体にも適合する。即ち、上記カメラ本体に設けられたスロット部（デバイス構体装着部の一部分乃至一態様）およびカードコネクタ１６等はこのスロット部に挿入されたＩＣメモリカード１７等或いはＩＣメモリカードと相似的に成形されたデバイス構体である所謂通信カード４５等を着脱自在に且つこのデバイス構体に対する信号の授受が可能なように保持するためのデバイス構体保持手段をなすものである。
【００２６】
上記通信カード４５がカードコネクタ１６に接続されているときには、この通信カード４５を介しても、通信用外部回線４４´を通して画像データの伝送を行うことができるように構成されている。
【００２７】
尚、以上の回路各部には、接点部４６に接続されたバッテリー４７から、ヒューズ４８、ＤＣ−ＤＣコンバータ４９をこの順に介して給電されるようになされている。
【００２８】
図２は図１に示されたカメラの動作の概要を説明するためのフローチャートである。
主電源が投入されると（パワー・オン：Ｓ２−１）、先ず後に詳述する「カード確認」のサブルーチンが実行される（Ｓ２−２）。この「カード確認」は、カードコネクタ１６に接続されたカードの種別を確認する処理である。次に、後に詳述する「通信機能確認」のサブルーチンが実行される（Ｓ２−３）。次に、カードコネクタ１６に接続されたカードがＩＣメモリカードか否かの判定がなされ（Ｓ２−４）、ＩＣメモリカードであると判定されたときには、本カメラに内蔵された通信機能部（通信制御回路４１等）によって画像通信を行うための状態になる（Ｓ２−５）。カメラがこの状態になったときには、画像データの記録先がＩＣメモリカードである旨の表示がなされる（Ｓ２−６）。また、このときには、画像データの記録先がＩＣメモリカードとなるように画像データの流れの系統が設定される（Ｓ２−７）。更に、画像データの伝送を行うときに当該ケースでは本カメラに内蔵された通信機能部を用いての通信により行う旨の表示がなされる（Ｓ２−８）。次に、本カメラに内蔵された通信機能部を初期設定する処理を実行し（Ｓ２−９）、この初期設定が完了すると実際の記録を行うための記録モードに移行する（Ｓ２−１０）。上記の通り、カードコネクタ１６に接続されたカードがＩＣメモリカードである場合には、自動的にこのＩＣメモリカードを画像データの記録先とするようにして記録が行われる。
【００２９】
この場合におけるＥＶＦ２７での表示、または、Ｓ端子２４或いはビデオ出力端子２６に接続されたモニタ上での表示が図３に示されている。同図で、“ＴＲＡＮＳＭＩＴ  ＤＡＴＡ”と次の行の“ＣＡＲＤ  １”は、画像データの記録先がＩＣメモリカードであることを、“ＴＲＡＮＳＭＩＴＴＥＲ”と次の行の“ＩＮＴＥＲＮＡＬ”は、通信機能部として本カメラに内蔵された通信機能部（通信制御回路４１等）を用いる状態にあることを夫々表す。
【００３０】
一方、（Ｓ２−４）でカードコネクタ１６に接続されたカードがＩＣメモリカードではないと判定されたときには、そのカードが画像通信回路構体（通信カード）であるか否かが判定される（Ｓ２−１１）。そのカードが通信カードであると判定されたときには通信カードによる画像通信の機能を用いて画像通信を行う状態になる（Ｓ２−１２）。この状態になったときには、画像データの記録先が本カメラに内蔵されたバッファメモリ１８であることを示す表示がなされる（Ｓ２−１３）。また、このときには、画像データの記録先が内蔵されたバッファメモリとなるように画像データの流れの系統が設定される（Ｓ２−１４）。更に、画像データの伝送を行うときに当該ケースではカードコネクタ１６に接続された通信カードを用いての通信により行うことを示す表示がなされる（Ｓ２−１５）。次に、通信カードを初期設定する処理を実行し（Ｓ２−１６）、この初期設定が完了すると実際の記録を行うための記録モードに移行する（Ｓ２−１０）。
【００３１】
図４は、図１のカメラにおいて、デバイス構体保持手段（カードコネクタ１６等）に装着された通信カード４５または本カメラに内蔵された通信機能部（通信制御回路４１等）を選択的に用いて画像通信を行う部分の詳細を示すブロック図である。この図４において図１との対応部は同一の符号により示してある。メインＣＰＵ４０は系全体を統括的に制御するためのものであり、アドレスバス，データバス，制御バスを通して周辺のデバイスと結ばれている。これらのバスと、通信制御回路４１との間にはバッファ回路１５１および１５２が設けられ、カードコネクタ１６との間にはバッファ回路１５３および１５４が設けられ、内蔵メモリ（バッファメモリ）１８との間にはバッファ回路１５５および１５６が設けられている。コーダ１４はメモリコントローラ１８１を介してバスに接続されている。メモリコントローラ１８１と内蔵メモリ（バッファメモリ）１８とは両者の間にバッファ回路１５７および１５８が介挿されて結ばれている。
【００３２】
図２のフローチャートについて説明した通り、カードコネクタ１６にＩＣメモリカードが装着されているときには、コーダ１４からの圧縮された画像データがメモリコントローラ１８１およびバスを通してそのＩＣメモリカードに記録される。
一方、カードコネクタ１６にＩＣメモリカードではなく通信カード４５が装着されているときには、内蔵メモリ（バッファメモリ）１８にコーダ１４からの画像データが格納され保持される。内蔵メモリ１８での画像データの格納についても、ＩＣメモリカードへの記録フォーマットと同様の形式を適用する。内蔵メモリ１８に保持された画像データは通信カード４５を介して前述同様外部の回線を通して伝送され得る。画像データの流れの系統は上述の各バッファ回路が所要の動作を行うことにより適切に切り換えられる。
【００３３】
メインＣＰＵ４０から制御バスを通して伝達される切り換え信号ＳＳに応じて切り換え動作を行う切り換えスイッチ５０が設けられ、本カメラに内蔵された通信制御回路４１またはカードコネクタ１６に装着された通信カード４５に動作電源を選択的に給電するように構成されている。即ち、カードコネクタ１６にデバイス構体が装着されると、装着されたことを表す識別信号ＣＩが“１”となり、これが制御バスを通してメインＣＰＵ４０により認識される。メインＣＰＵ４０はこれに応じて切り換えスイッチ５０に制御バスを通して切り換え信号ＳＳを発する。この切り換え信号ＳＳにより、切り換えスイッチ５０は、カードコネクタ１６を介してこの通信カード４５に＋５Ｖの電源を供給し、通信制御回路４１側には給電が停止されるように切り換わる。
【００３４】
一方、カードコネクタ１６にデバイス構体が装着されていないと、信号ＣＩは“０”の状態にあり、このときには、メインＣＰＵ４０からの切り換え信号ＳＳにより、切り換えスイッチ５０は、本カメラに内蔵された通信制御回路４１に対して＋５Ｖの電源を供給し、カードコネクタ１６側への給電は停止されるように切り換わる。
尚、主電源スイッチがオフにされているときには、切り換えスイッチ５０はニュートラルの位置にあり、通信制御回路４１およびカードコネクタ１６側へのいずれに対しても給電は停止される。
【００３５】
カードコネクタ１６に通信カード４５が装着され、内蔵メモリ１８に保持された画像データが通信制御回路４１を介して伝送される場合におけるＥＶＦ２７での表示、または、Ｓ端子２４或いはビデオ出力端子２６に接続されたモニタ上での表示が図５に示されている。同図で、“ＴＲＡＮＳＭＩＴ  ＤＡＴＡ”と次の行の“ＩＮＴＥＲＮＡＬ  ＭＥＭＯＲＹ”は、画像データの記録先が内蔵メモリ１８であることを、“ＴＲＡＮＳＭＩＴＴＥＲ”と次の行の“ＣＡＲＤ  １”は、通信機能部としてカードコネクタ１６に装着された画像通信回路構体としての通信カード４５を用いることを夫々表わしている。
【００３６】
図６は、図１及び図４に示された実施の形態とブロック図上での構成を同じくするものの動作の順序の制御を異にする発明の実施の形態を示すフローチャートである。
図６において、Ｓ６−１で伝送モードが設定されると、先ず後に詳述する「カード確認」のサブルーチンが実行される（Ｓ６−２）。この「カード確認」は、カードコネクタ１６に接続されたカードの種別を確認する処理である。次に、後に詳述する「通信機能確認」のサブルーチンが実行される（Ｓ６−３）。次に、内蔵メモリ（バッファメモリ）１８を用いて画像データを保持するか否かが選択される（Ｓ６−４）。この（Ｓ６−４）で内蔵メモリ（バッファメモリ）１８を用いて画像データを保持することが選択されたときには、次に、通信機能部として画像通信回路構体（通信カード）を用いるか否かを確認し（Ｓ６−５）、通信カードを用いることを確認すると、通信カードによる画像通信の機能を用いて画像通信を行う状態になる（Ｓ６−６）。次に、通信カードを初期設定する処理を実行し（Ｓ６−７）、（Ｓ６−１２）で設定が完了する。この後実際の伝送が実行される。
【００３７】
上記（Ｓ６−４）で内蔵メモリ１８を用いて画像データを保持することが選択されなかったとき、即ち、カードコネクタ１６にＩＣカードが装着されていて、このＩＣカードに画像データを保持することが選択されたときには、通信機能部として本カメラ本体に内蔵された通信制御回路４１を用いるための設定を行う（Ｓ６−８）。また上記（Ｓ６−５）で通信機能部として画像通信回路構体（通信カード）を用いないと確認したときにも本カメラ本体に内蔵された通信制御回路４１を用いるための設定を行う（Ｓ６−８）。次に伝送の対象となる画像データをいずれのデバイスに格納されているものとして選択するか、即ち送信元となるデバイスを、カードコネクタ１６に装着されたＩＣカードか或いは内蔵メモリ１８のいずれかとして選択を行うための画面上での一覧表示を行う（Ｓ６−９）。
【００３８】
この（Ｓ６−９）の場合におけるＥＶＦ２７での表示、または、Ｓ端子２４或いはビデオ出力端子２６に接続されたモニタ上での表示が図７に示されている。同図で、“ＳＥＬＥＣＴ  ＴＲＡＮＳＭＩＴ  ＤＡＴＡ”と次の２行の“＞ＩＮＴＥＲＮＡＬ”；“ＣＡＲＤ  １”は、伝送対象となる画像データの格納元（伝送元）を内蔵メモリか或いはカードコネクタに装着されたＩＣカードかの２者のうちから当該時点では内蔵メモリ側を選択している状態にあることを表し、最下行の“ＰＬＥＡＳＥ  ＳＥＬＥＣＴ”は、上記の選択操作を促す状態にあることを表す。
【００３９】
一方、（Ｓ６−１０）での伝送元のデバイスの選択が完了すると、次に本カメラに内蔵された通信機能部（通信制御回路４１等）を初期設定する処理を実行し（Ｓ６−１１）、（Ｓ６−１２）で設定が完了する。この後実際の伝送が実行される。
【００４０】
図８は、図１及び図４に示された実施の形態とブロック図上での構成を同じくするものの動作の順序の制御を異にする発明の実施の形態を示すフローチャートである。
図８において、（Ｓ８−１）〜（Ｓ８−１１）および（Ｓ８−１２）の各ステップは上述した図６の（Ｓ８−１）〜（Ｓ８−１１）および（Ｓ８−１２）の各ステップと同じであるが、特に、この図８の動作手順では（Ｓ８−１１），（Ｓ８−７）の双方から（Ｓ８−１２）へ移行する間に、ステップ（Ｓ８−１０）での選択操作によって結果的に選択された伝送対象となる画像データの格納元（伝送元）がいずれのデバイスであるかを表示するステップ（Ｓ８−１０ａ）が設けられている。尚、このステップ（Ｓ８−１０ａ）では既に（Ｓ８−４）で内蔵メモリ（バッファメモリ）１８を用いて画像データを保持することが選択されたときには、当然に、内蔵メモリが伝送対象となる画像データの格納元（伝送元）であることを表示することになる。
【００４１】
この（Ｓ８−１０ａ）のステップにおけるＥＶＦ２７での表示、または、Ｓ端子２４或いはビデオ出力端子２６に接続されたモニタ上での表示が図９に示されている。同図で、“ＴＲＡＮＳＭＩＴＴＥＲ＝ＣＡＲＤ  １”は通信機能部として画像通信回路構体（通信カード）を用いる状態にあることを表し、最下行での“ＴＲＡＮＳＭＩＴ  ＤＡＴＡ＝ＩＮＴＥＲＮＡＬ”は、内蔵メモリが伝送対象となる画像データの格納元（伝送元）であることを表す。
【００４２】
図１０は、図２，図６および図８における「カード確認」のサブルーチン（Ｓ２−２；Ｓ６−２；Ｓ８−２）の内容を示すフローチャートである。
カード確認ルーチンに入ると（Ｓ１０−１）、先ず主電源が投入されているか否かが判定される（Ｓ１０−２）。次に、カードコネクター１６にデバイスが装着されているか否か（カードコネクターを含んで構成されているカードドライブがアクティブか否か）が判定される（Ｓ１０−３）。この（Ｓ１０−３）は、カード所定の信号線に接触することで判定される。ここでカードコネクター１６にデバイスが装着されていると判定されると、そのデバイス（カード）に対して電源ＶＣＣの＋５Ｖが給電され（Ｓ１０−４）、カードの属性情報が読み出される（Ｓ１０−５）。この属性情報に基づいてそのカードがＩＣメモリカードか或いは通信カードかが判定される（Ｓ１０−６）。この結果、ＩＣメモリカードであると判定されたときにはカードの機能のタイプを表すためのフラグを“０”とし（Ｓ１０−７）、通信カードであると判定されたときには同フラグを“１”として（Ｓ１０−８）、この後電源ＶＣＣの＋５Ｖの給電を停止する（Ｓ１０−９）。このようにして判定した後給電を停止し（Ｓ１０−９）、または、上記ステップ（Ｓ１０−３）でカードコネクター１６にデバイスが装着されていないと判定されたときには、確認動作を完了する（Ｓ１０−１０）。
【００４３】
図１１は、図２，図６および図８における「通信機能確認」のサブルーチン（Ｓ２−２；Ｓ６−２；Ｓ８−２）の内容を示すフローチャートである。
通信機能確認ルーチンに入ると（Ｓ１１−１）、図１０の（Ｓ１０−６）の判定結果としてのフラグ（Ｓ１０−７），（Ｓ１０−８）の読み出し動作が実行される（Ｓ１１−２）。このフラグによりカードのタイプを判定した結果（Ｓ１１−３）、フラグが“１”でこのカードが通信カードであると判定されたときには通信機能表示フラグを“１”にセットする（Ｓ１１−４）。この“１”にセットされたフラグは通信カードが装着されていることを表す表示を行うための元データとなる。次に、通信機能選択データをセットし（Ｓ１１−５）、通信機能確認ルーチンを完了する（Ｓ１１−６）。上記（Ｓ１１−３）の判定を行ってフラグが“０”でこのカードがＩＣメモリカードであると判定されたときには、次に、通信機能選択データを本カメラに内蔵された通信機能部（通信制御回路４１等）を用いるようにセットし（Ｓ１１−５）、通信機能確認ルーチンを完了する（Ｓ１１−６）。
【００４４】
図１２は、図１及び図４に示された実施の形態とブロック図上での構成を同じくするものの動作の順序の制御を異にする発明の実施の形態を示すフローチャートである。
パワー・オン（Ｓ１２−１）から「カード確認」（Ｓ１２−２）、「通信機能確認」（Ｓ１２−３）までは、図２，図６および図８における「カード確認」および「通信機能確認」と同様である。次に、通信機能部として内蔵された通信制御回路４１を用いるか、カードコネクタ１６に接続された通信カード４５を用いるかの選択のための通信機能選択表示を行う（Ｓ１２−４）。
【００４５】
この（Ｓ１２−４）の場合におけるＥＶＦ２７での表示、または、Ｓ端子２４或いはビデオ出力端子２６に接続されたモニタ上での表示が図１３に示されている。同図で、“ＳＥＬＥＣＴ  ＴＲＡＮＳＭＩＴＴＥＲ”と次の２行の“ＩＮＴＥＲＮＡＬ”；“＞ＣＡＲＤ  １”は、画像伝送を行うために用いる通信機能部として、内蔵された通信制御回路か、或いは、カードコネクタに接続された通信カードかの２者のうちから当該時点では通信カード側を選択している状態にあることを表し、最下行の“ＰＬＥＡＳＥ  ＳＥＬＥＣＴ”は、上記の選択操作を促す状態にあることを表す。
【００４６】
次に、この選択操作の完了を待って（Ｓ１２−５）、完了したときには選択された通信機能デバイス（通信制御回路か、或いは、通信カード）についての初期設定動作を実行し（Ｓ１２−６）、通信機能の状態の表示を行い（Ｓ１２−７）、上記設定を完了する（Ｓ１２−８）。
【００４７】
図１４は発明の他の実施の形態を示すブロック図である。図１との対応部には同一の符号を付してそれらの説明は省略する。図１のものとの相違点は、共にＩＣカードインターフェース回路１５に接続される形で、カードコネクタが１６ａと１６ｂとの２系統設けられている点、および、図１のバッファメモリ１８がこの図１４のものには設けられていない点である。
カードコネクタ１６ａおよび１６ｂは共に、画像記録媒体としてのＩＣメモリカードおよび画像通信回路構体としての通信カードのいずれにも適合する。
【００４８】
図１５は、図１４のカメラにおいて、デバイス構体保持手段（カードコネクタ１６ａおよび１６ｂ等）に装着された通信カード４５ａまたは４５ｂ或いは本カメラに内蔵された通信機能部（通信制御回路４１等）を選択的に用いて画像通信を行う部分の詳細を示すブロック図である。この図１５において図４および図１４との対応部は同一の符号により示しそれら各部の説明は省略する。
【００４９】
この図１５の構成においても、所要に応じた画像データの伝送経路の切り換えはバッファ回路１５１，１５２，１５３ａ，１５４ａ，１５５ｂ，１５６ｂによりなされる。カードコネクタ１６ａおよび１６ｂ双方ともに、それらにデバイス構体（ＩＣカード）が装着されたか否かを識別するための識別信号ＣＩａおよびＣＩｂを、制御バスを通してメインＣＰＵ４０により認識可能に伝送し得るようになされている。図４での識別信号ＣＩと同様、カードコネクタにデバイス構体が装着されると、これらの識別信号ＣＩａおよびＣＩｂも“１”となる。
【００５０】
メインＣＰＵ４０から制御バスを通して伝達される切り換え信号ＳＳに応じて切り換え動作を行う切り換えスイッチ５０１が設けられ、本カメラに内蔵された通信制御回路４１またはカードコネクタ１６ａに装着された通信カード４５ａ或いはカードコネクタ１６ｂに装着された通信カード４５ｂに動作電源を選択的に給電するように構成されている。即ち、カードコネクタ１６ａにデバイス構体が装着されると、装着されたことを表す識別信号ＣＩａが“１”となり、これが制御バスを通してメインＣＰＵ４０により認識される。メインＣＰＵ４０はこれに応じて切り換えスイッチ５０１に制御バスを通して切り換え信号ＳＳを発する。この切り換え信号ＳＳにより、切り換えスイッチ５０１は、カードコネクタ１６ａを介してこの通信カード４５ａに電源ＶＣＣ２としての＋５Ｖを供給し、他方通信制御回路４１側およびカードコネクタ１６ｂの通信カード４５ｂ側には給電が停止されるように切り換わる。
カードコネクタ１６ｂにデバイス構体が装着された場合も、カードコネクタ１６ａにデバイス構体が装着された上述の場合と同様にして、このカードコネクタ１６ｂに装着された通信カード４５ｂに電源ＶＣＣ３としての＋５Ｖが供給される。
【００５１】
一方、カードコネクタ１６ａ，１６ｂにデバイス構体が装着されていないと、識別信号ＣＩａおよびＣＩｂは“０”の状態にあり、このときには、メインＣＰＵ４０からの切り換え信号ＳＳにより、切り換えスイッチ５０１は、本カメラに内蔵された通信制御回路４１に電源ＶＣＣ１としての＋５Ｖを供給し、カードコネクタ１６ａ，１６ｂ側への給電が停止されるように切り換わる。
尚、主電源スイッチがオフにされているときには、切り換えスイッチ５０１はニュートラルの位置にあり、通信制御回路４１、およびカードコネクタ１６ａ，１６ｂ側へのいずれにも給電が停止される。
【００５２】
図１５の実施の形態によれば、画像を伝送するときに用いる通信機能部として、本カメメラに内蔵した通信制御回路４１またはカードコネクタ１６ａに装着された通信カード４５ａ或いはカードコネクタ１６ｂに装着された通信カード４５ｂのいずれかのものを選択的に適用することができる。
尚、図１５の例では、カードコネクタは１６ａ，１６ｂの２系統であるが、更に多くの系統を設けた構成をとることもできる。
【００５３】
図１４および図１５の実施の形態による動作の概要をフローチャートに表せば、前述の図１２のフローチャートと同様である。但し、通信機能部としていずれのデバイスを用いるかの選択のための通信機能選択表示（Ｓ１２−４）については図１６のようになる。  図１６で“ＳＥＬＥＣＴ  ＴＲＡＮＳＭＩＴＴＥＲ”と次の３行の“ＩＮＴＥＲＮＡＬ”；“＞ＣＡＲＤ  １”；“ＣＡＲＤ  ２”は、画像伝送を行うために用いる通信機能部として、内蔵された通信制御回路か、或いは、カードコネクタに接続された２つの通信カードの３者のうちから当該時点ではカードコネクタ１６ａに装着された通信カード４５ａ側を選択している状態にあることを表し、最下行の“ＰＬＥＡＳＥ  ＳＥＬＥＣＴ”は、上記の選択操作を促す状態にあることを表す。
【００５４】
また、カード確認のサブルーチン（Ｓ１２−２）については、図１７のようになる。
図１７での動作は、図１０のフローチャートと対比して明らかな通り、図１０での１つのカードコネクタ１６に装着されたデバイス構体に対する属性判定動作を、２つのカードコネクタ１６ａおよび１６ｂに各装着されたデバイス構体に対してそれぞれ順次実行するものとなっている。即ち、（Ｓ１７−２）で主電源が投入されたことが確認された後は、（Ｓ１７−３）〜（１７−９）で先ずカードコネクタ１６ａに装着されたデバイス構体に対して図１０と全く同様の判定がなされ、次に（Ｓ１７−１０）〜（１７−１５）でカードコネクタ１６ｂに装着されたデバイス構体に対して図１０と全く同様の判定がなされる。
【００５５】
また、図１４および図１５の実施の形態における動作のシーケンスで、通信機能確認のサブルーチン（Ｓ１２−３）については、図１８のようになる。
通信機能確認ルーチン（Ｓ１８−１）に入ると、図１７の（Ｓ１７−６）および（Ｓ１７−１３）の判定結果としての各フラグ（Ｓ１７−７），（Ｓ１７−８），（Ｓ１７−１４），（Ｓ１７−１５）の読み出し動作が実行される（Ｓ１８−２）。次に、読み出された全てのフラグが“０”が否か、即ち、各カードコネクタに装着された全てのＩＣカードがＩＣメモリカードであるか否かが判定される（Ｓ１８−３）。いずれかのＩＣカードがＩＣメモリカードではない判定されたときには、カードコネクタ１６ａおよび１６ｂに装着されたＩＣカードが通信カードである否かを判定し、通信カードであると判定されたものに関してフラグを“１”にセットする（Ｓ１８−４），（Ｓ１８−５），（Ｓ１８−６），（Ｓ１８−７）。このようにしていずれかのフラグがセットされ、或いは、上記（Ｓ１８−３）で全てのＩＣカードがＩＣメモリカードであると判定されたときには、これらの判定結果に応じて、画像伝送を行う場合に用いる通信機能部として選択可能なデバイスを表すための選択データをセットし（Ｓ１８−８）、この後、このルーチンの確認動作を終了する（Ｓ１８−９）。この選択データに基づいて図１６同様の画面表示が行われる。この図１６同様の表示に基づいて、通信機能部として一つのデバイスを選択すると図１９のような画面表示がなされる。図１９は、通信機能部としてカードコネクタ１６ａに装着された通信カード４５ａが選択された状態を表わしている。
【００５６】
尚、上述では画像記録媒体として、ＩＣメモリカードを掲げたが、ＳＲＡＭカード、フラッシュメモリカード、ＡＴＡカード等種々のものが該当する。また、ＩＣメモリカードの範疇には属しないデバイスであっても、デバイス構体保持手段（カードコネクタ、カードスロット等）およびカメラ内部の信号処理方式がそれに対応可能なものになされていれば適用可能である。一方、通信回路構体（通信カード）としては、公衆電話回線用モデム、携帯電話回線用モデム、アナログ携帯電話用アダプタ、デジタル携帯電話用アダプタ、デジタル回線用アダプタ、ＩＳＤＮ回線用モデム、無線回線用アダプタ、パーソナルハンディフォン（ＰＨＳ）用アダプタ、赤外光でシリアル通信を行う赤外光アダプタ、ネットワークアダプタ、ＬＡＮ・イサーネット等の通信系のカード等が該当する。
【００５７】
図２０は、図１４及び図１５に示された実施の形態とブロック図上での構成を同じくするものの動作の順序の制御を異にする発明の実施の形態を示すフローチャートである。
（Ｓ２０−１）でパワー・オンされると、先ず「カード確認」（Ｓ２０−２）、次に「通信機能確認」（Ｓ２０−３）が実行される。この「カード確認」のサブルーチンは図１７のものと同様である。また、「通信機能確認」のサブルーチンについては、図２２により後に詳述する。この実施の形態の場合、カードコネクタに通信カードが接続されているときには通信機能部に該当するデバイスとしてこの通信カードが優先的に当てられるように構成されており、従って、自動的にこの通信カードに関して通信機能の初期設定動作を行う（Ｓ２０−４）。次に通信機能部をこのように設定したことを表す状態表示を行い（Ｓ２０−４）、設定を完了する（Ｓ２０−５）。
【００５８】
上記（Ｓ２０−４）の場合におけるＥＶＦ２７での表示、または、Ｓ端子２４或いはビデオ出力端子２６に接続されたモニタ上での表示が図２１に示されている。同図で、“ＴＲＡＮＳＭＩＴＴＥＲ”と次の３行の“ＩＮＴＥＲＮＡＬ”；“＞ＣＡＲＤ  １”“ＣＡＲＤ  ２”は、画像伝送を行うために用いる通信機能部として、内蔵された通信制御回路か、或いは、カードコネクタに接続された２つの通信カードかの３者のうちから当該時点では通信カードの一方側（カードコネクタ１６ａに装着された通信カード４５ａ）を選択している状態にあることを表す。
【００５９】
図２２は上記「通信機能確認」（図２０のＳ２０−３）のサブルーチンの詳細を説明するためのフローチャートである。
図２０のＳ２０−２での「カード確認」で、既に各カードコネクタに装着されたカードについての機能フラグは確認されている。「通信機能確認」のルーチンが開始されると（Ｓ２２−１）、先ず、上記各機能フラグの読み込みが行なわれ（Ｓ２２−２）、全フラグが“０”か否か、即ち、全カードがＩＣメモリカードか否かが判定される（Ｓ２２−３）。全カードがＩＣメモリカードであると判定されたときには、内蔵の通信制御回路をセット状態にする（Ｓ２２−１０）。一方、（Ｓ２２−３）で、全フラグが“０”とはなっていないとき、即ち、１枚でもＩＣメモリカードでないカードが装着されていると判定された場合には、全フラグが“１”となっているか否か、即ち、全カードが通信カードか否かが判定される（Ｓ２２−４）。
【００６０】
全カードが通信カードであると判定されたときには、通信機能の選択動作を行うためのモードに移る（Ｓ２２−９）。いずれかのカードのみが通信カードであると判定されたときにはカードコネクタ１６ａに装着されたカード（カード１）が通信カードであるか否かが判定され（Ｓ２２−５）、カード１が通信カードであったときには画像伝送を行うときに用いる通信機能部たるデバイスをカード１側（カードコネクタ１６ａ側）の通信カードとする設定を行う（Ｓ２２−７）。カード１が通信カードでなかったときには、カードコネクタ１６ｂに装着されたカード（カード２）が通信カードであるか否かが判定され（Ｓ２２−６）、カード２が通信カードであったときには、画像伝送を行うときに用いる通信機能部たるデバイスをカード２側（カードコネクタ１６ｂ側）の通信カードとする設定を行う（Ｓ２２−８）。上記（Ｓ２２−７），（Ｓ２２−８），（Ｓ２２−９）または（Ｓ２２−１０）の後、このルーチンでの確認動作を終了する（Ｓ２２−１１）。
【００６１】
図２３は本発明のカメラの実施の形態における記録および画像データの伝送に係る動作を説明するためのフローチャートである。パワー・オン（Ｓ２３−１）となった後、先ず伝送モードの設定を行う（Ｓ２３−２）。次に、伝送先の設定を行う（Ｓ２３−３）。即ち、記録を行うに先立って、記録後に伝送を行うための伝送モードの設定と伝送先とを予め設定する。その後、実際の記録モードに移行する（Ｓ２３−４）。記録モードになると、先ずトリガ１スイッチ（トリガスイッチに対する押圧操作の第１段目）がオンにされるのを待って（Ｓ２３−５）、ＡＦ動作を（Ｓ２３−６）、次いでＡＥ動作を（Ｓ２３−７）を夫々行う。この後、トリガ２スイッチ（トリガスイッチに対する押圧操作の第２段目）がオンにされるのを待って（Ｓ２３−８）、フレームメモリへの画像データの書き込み動作を実行する（Ｓ２３−９）。フレームメモリへの書き込みの後、その画像データを読み出してデータ圧縮の処理を施す（Ｓ２３−１０）。このステップ（Ｓ２３−１０）で圧縮処理された画像データはＩＣメモリカードまたは内蔵のバッファメモリに書き込まれる（Ｓ２３−１１）。次に、記録後の画像データファイルの管理のための処理を行ってから（Ｓ２３−１２）、自動的に伝送処理に移行する。
【００６２】
この伝送処理の冒頭では伝送休止中であるか否かが、伝送の休止中を表すフラグＴＲＮが“１”か否かによって判定される（Ｓ２３−１３）。当初は伝送を行っていないので、そのまま次の伝送処理の開始に移行する（Ｓ２３−１８）。伝送が開始されると、トリガ１スイッチがオンにされているか否かを常時判別しながら伝送が完了するのを待つ（Ｓ２３−１９）、（Ｓ２３−２０）。伝送が完了すると記録モードが終了しているか否かを判定し（Ｓ２３−１６）、終了していなければステップ（Ｓ２３−５）に戻ってトリガ１スイッチがオンにされるのを待機する状態になる。このステップ（Ｓ２３−１６）で記録モードが終了していると判定されたときには、記録および画像データの伝送に係る動作を終了する（Ｓ２３−１７）。
【００６３】
伝送が未完了のときにステップ（Ｓ２３−２０）でトリガ１スイッチがオンにされていると判定されたときには伝送を休止し、伝送の休止中を表すフラグＴＲＮを“１”とし（Ｓ２３−２１）、通常のカメラ動作に復帰する。カメラ動作に復帰した後、再度記録が行われれば（Ｓ２３−６）〜（Ｓ２３−１２）、次に、伝送休止中であるか否かが、伝送の休止中を表すフラグＴＲＮが“１”か否かによって判定される（Ｓ２３−１３）。フラグＴＲＮが“１”であって、伝送休止中であると判定されたときには、休止中の旨のデータに今記録を行った旨のデータを追加して（Ｓ２３−１４）、伝送の休止中を表すフラグＴＲＮを“０”にして（Ｓ２３−１５）、伝送を再開する（Ｓ２３−１８）。伝送が再開されると、再度トリガ１スイッチがオンにされているか否かを常時判別しながら伝送が完了するのを待つ（Ｓ２３−１９）、（Ｓ２３−２０）。伝送が完了すると、上記のルーチンが繰り返される。途中で記録モードが解除されれば記録および画像データの伝送に係る動作を終了する（Ｓ２３−１６），（Ｓ２３−１７）。
【００６４】
図２４は他の実施の形態における動作を表すフローチャートである。上述した図２３のフローチャートに従った実施の形態が、記録の終了後直ちに伝送を行う構成であるのに対し、この図２４のものは、記録の終了後、一定の時間をおいて伝送を開始するように構成されている点が異なる。
【００６５】
図２４のフローチャートにおいてパワー・オン（Ｓ２４−１）以降、（Ｓ２４−１０）で圧縮処理された画像データをＩＣメモリカードまたは内蔵のバッファメモリに書き込み（Ｓ２４−１１）、ステップ（Ｓ２４−１３）で伝送休止中であるか否かを伝送の休止中を表すフラグＴＲＮが“１”か否かによって判定するところまでは、上述した図２３のフローチャートにおける（Ｓ２３−１）から（Ｓ２３−１３）までのステップと同様である。
【００６６】
即ち、パワー・オン（Ｓ２４−１）にとなった後、先ず伝送モードの設定を行う（Ｓ２４−２）。次に、伝送先の設定を行う（Ｓ２４−３）。これにより、記録を行うに先立って、記録後に伝送を行うための伝送モードの設定と伝送先とを予め設定する。その後、実際の記録モードに移行する（Ｓ２４−４）。記録モードになると、先ずトリガ１スイッチ（トリガスイッチに対する押圧操作の第１段目）がオンにされるのを待って（Ｓ２４−５）、ＡＦ動作を（Ｓ２４−６）、次いでＡＥ動作を（Ｓ２４−７）を夫々行う。この後、トリガ２スイッチ（トリガスイッチに対する押圧操作の第２段目）がオンにされるのを待って（Ｓ２４−８）、フレームメモリへの画像データの書き込み動作を実行する（Ｓ２４−９）。フレームメモリへの書き込みの後、その画像データを読み出してデータ圧縮の処理を施す（Ｓ２４−１０）。この（Ｓ２４−１０）で圧縮処理された画像データはＩＣメモリカードまたは内蔵のバッファメモリに書き込まれる（Ｓ２４−１１）。次いで、記録後の画像データファイルの管理のための処理を行い（Ｓ２４−１２）、自動的に伝送処理に移行する。この伝送処理の冒頭では伝送休止中であるか否かが、伝送の休止中を表すフラグＴＲＮが“１”か否かによって判定される（Ｓ２４−１３）。
【００６７】
図２４のフローチャートでは、伝送休止中であるか否かの判定のステップ（Ｓ２４−１３）と伝送処理開始のステップ（Ｓ２４−１８）との間に、計時動作を開始するカウンタスタートのステップ（Ｓ２４−Ｔ１）と、カウントの終了を待つステップ（Ｓ２４−Ｔ２）によるタイマーによる伝送処理開始（Ｓ２４−１８）への移行タイミングの遅延要素が設けられている点が図２３のものとの相違である。その他のステップは図２３について説明したものと相違がない。
即ち、ステップ（Ｓ２４−１８）で伝送が開始されると、トリガ１スイッチがオンにされているか否かを常時判別しながら伝送が完了するのを待つ（Ｓ２４−１９）、（Ｓ２４−２０）。伝送が完了すると記録モードが終了しているか否かを判定し（Ｓ２４−１６）、終了していなければステップ（Ｓ２４−５）に戻ってトリガ１スイッチがオンにされるのを待機する状態になる。ステップ（Ｓ２４−１６）で記録モードが終了していると判定されたときには、記録および画像データの伝送に係る動作を終了する（Ｓ２３−１７）。
【００６８】
伝送が未完了のときにステップ（Ｓ２４−２０）でトリガ１スイッチがオンにされていると判定されたときには伝送を休止し、伝送の休止中を表すフラグＴＲＮを“１”にして（Ｓ２４−２１）通常のカメラ動作に復帰する。カメラ動作に復帰した後、再度記録が行われれば（Ｓ２４−６）〜（Ｓ２４−１２）、次に、伝送休止中であるか否かが、伝送の休止中を表すフラグＴＲＮが“１”か否かによって判定される（Ｓ２４−１３）。フラグＴＲＮが“１”であって、伝送休止中であると判定されたときには、休止中の旨のデータに今記録を行った旨のデータを追加して（Ｓ２４−１４）、伝送の休止中を表すフラグＴＲＮを“０”にして（Ｓ２４−１５）、ステップ（Ｓ２４−Ｔ１），（Ｓ２４−Ｔ２）のタイマーによる移行タイミングの遅延の後、伝送処理を再開する（Ｓ２３−１８）。伝送が再開されると、再度トリガ１スイッチがオンにされているか否かを常時判別しながら伝送が完了するのを待つ（Ｓ２４−１９）、（Ｓ２４−２０）。伝送が完了すると、上記のルーチンが繰り返される。途中で記録モードが解除されれば記録および画像データの伝送に係る動作を終了する（Ｓ２４−１６），（Ｓ２４−１７）。
【００６９】
この図２４のものでは、記録の終了後直ちに伝送を行うのではなく、記録の終了後一定の時間をおいて伝送を開始するように構成されているため、記録直後に撮影（記録）に失敗がなかったか否かを確認する時間的余裕が確保され、失敗と判定されたときにはその画像をキャンセル操作することができる。
【００７０】
図２５は、更に他の実施の形態における動作を表すフローチャートである。上述した図２４のフローチャートに従った実施の形態では、記録の終了後、一定の時間をおいて自動的に伝送を開始するように構成されているのに対し、図２５のものは、記録の終了後、一定の時間を計時中において伝送の中止の操作がなされたか否かの確認動作を行い、伝送中止の操作が行われると、未然に、伝送を行わない動作に移行するようになされている点が異なる。
【００７１】
図２５のフローチャートにおいてパワー・オン（Ｓ２５−１）以降、（Ｓ２５−１０）で圧縮処理された画像データをＩＣメモリカードまたは内蔵のバッファメモリに書き込み（Ｓ２５−１１）、ステップ（Ｓ２５−１３）で伝送休止中であるか否かを伝送の休止中を表すフラグＴＲＮが“１”か否かによって判定するところまでは、上述した図２３のフローチャートにおける（Ｓ２３−１）から（Ｓ２３−１３）までのステップと同様であり、従って、図２４のフローチャートにおける（Ｓ２４−１）から（Ｓ２４−１３）までのステップとも同様である。
【００７２】
即ち、パワー・オン（Ｓ２５−１）となった後、先ず伝送モードの設定を行う（Ｓ２５−２）。次に、伝送先の設定を行う（Ｓ２５−３）。これにより、記録を行うに先立って、記録後に伝送を行うための伝送モードの設定と伝送先とを予め設定する。その後、実際の記録モードに移行する（Ｓ２５−４）。記録モードになると、先ずトリガ１スイッチ（トリガスイッチに対する押圧操作の第１段目）がオンにされるのを待って（Ｓ２５−５）、ＡＦ動作を（Ｓ２５−６）、次いでＡＥ動作を（Ｓ２５−７）を夫々行う。この後、トリガ２スイッチ（トリガスイッチに対する押圧操作の第２段目）がオンにされるのを待って（Ｓ２４−８）、フレームメモリへの画像データの書き込み動作を実行する（Ｓ２５−９）。フレームメモリへの書き込みの後、その画像データを読み出してデータ圧縮の処理を施す（Ｓ２５−１０）。この（Ｓ２５−１０）で圧縮処理された画像データはＩＣメモリカードまたは内蔵のバッファメモリに書き込まれる（Ｓ２５−１１）。次いで、記録後の画像データファイルの管理のための処理を行い（Ｓ２５−１２）、自動的に伝送処理に移行する。この伝送処理の冒頭では伝送休止中であるか否かが、伝送の休止中を表すフラグＴＲＮが“１”か否かによって判定される（Ｓ２５−１３）。
【００７３】
図２５のフローチャートでも、図２４のものと同様、伝送休止中であるか否かの判定のステップ（Ｓ２５−１３）と伝送処理開始のステップ（Ｓ２５−１８）との間に、計時動作を開始するカウンタスタートのステップ（Ｓ２５−Ｔ１）と、カウントの終了を待つステップ（Ｓ２５−Ｔ２）によるタイマーによる伝送処理開始（Ｓ２５−１８）への移行タイミングの遅延要素が設けられているが、これに加えて、タイマで計時中（カウンタが計数動作を続行中）において伝送の中止の操作がなされた否かの確認動作を行い（Ｓ２５−Ｄ１）、伝送中止の操作が行われると、未然に伝送中止の処理（Ｓ２５−Ｄ２）に移行するようになされている点が図２４のものとの相違である。伝送中止の処理（Ｓ２５−Ｄ２）の後は、ステップ（Ｓ２５−５）に戻ってトリガ１スイッチがオンにされるのを待機する状態になる。伝送中止の操作が行われなければタイマの計時動作が終了すると（カウンタがカウントアップされると）伝送開始処理のステップに移行する（Ｓ２５−１８）。その他のステップは図２３，図２４について説明したものと相違がない。
【００７４】
図２６は画像データの伝送のための通信機能に関する回路構成を改良した実施の形態を説明するためのブロック図である。同図（Ａ）は、画像データの伝送のための通信機能に関する一般的な回路構成を示すブロック図、同図（Ｂ）は同図（Ａ）のものを改良した実施の形態を示すブロック図である。図２６中で、既述の図１との対応部は同一の符号を付しそれら各部自体の説明は省略する。
【００７５】
図２６（Ａ）の一般的な構成の場合、ＳＲＡＭ等でなるバッファメモリ１８はメインＣＰＵ４０とアドレスバス，データバスおよび制御バスで結ばれている。画像の伝送処理を行うに際し、メインＣＰＵ４０は伝送の対象となる画像データを一旦バッファメモリ１８に格納する。次に、通信可能な状態になったときに、バッファメモリ１８に格納されたデータを読み出して通信制御回路４１に書き込み、この書き込まれたデータが通信用端子４２に結ばれている通信用外部モデム４３を介して通信用外部回線４４を通して伝送される。メインＣＰＵ４０は通信制御回路４１がデータを送出する度に、逐一、伝送対象となるデータをバッファメモリ１８から読み出して通信制御回路４１に転送しなくてはならず、このため、メインＣＰＵ４０は通信処理を行っている間中他の処理を行うことができなくなってしまうという問題がある。
【００７６】
図２６（Ｂ）のものは、上述した図２６（Ａ）の一般的な構成の場合の問題を解決したものであり、メインＣＰＵ４０と通信制御回路４１´との間にＦＩＦＯ（Ｆｉｒｓｔ  Ｉｎ  Ｆｉｒｓｔ  Ｏｕｔ）メモリでなる通信用バッファメモリ１８ａを設け、更にメインＣＰＵ４０からの指令に応動するタイミングコントロール回路１８ｂの制御下でこの通信用バッファメモリ１８ａから上記の通信制御回路４１´へのデータの転送が行われるように構成されている。通信用バッファメモリ１８ａはＦＩＦＯ式の入出力分離型メモリであり、メインＣＰＵ４０が一旦この通信用バッファメモリ１８ａにデータを書き込んだ後は、専らタイミングコントロール回路１８ｂの制御下で通信用バッファメモリ１８ａから通信制御回路４１´へのデータの転送が行われるため、メインＣＰＵ４０は通信制御動作から解放され、画像データの伝送中においても他の動作の処理を行うことができることになる。
【００７７】
図２７は上述した図２６（Ｂ）の構成部分を持った実施の形態における動作を示すフローチャートである。図２７のフローチャートにおいてパワー・オン（Ｓ２７−１）以降、（Ｓ２７−１０）で圧縮処理された画像データをＩＣメモリカードまたは内蔵のバッファメモリに書き込み（Ｓ２７−１１）、ステップ（Ｓ２７−１２）でファイル管理の処理を行うところまでは、上述した図２３のフローチャートにおける（Ｓ２３−１）から（Ｓ２３−１２）までのステップと同様である。
【００７８】
即ち、パワー・オン（Ｓ２７−１）にとなった後、先ず伝送モードの設定を行う（Ｓ２７−２）。次に、伝送先の設定を行う（Ｓ２７−３）。これにより、記録を行うに先立って、記録後に伝送を行うための伝送モードの設定と伝送先とを予め設定する。その後、実際の記録モードに移行する（Ｓ２７−４）。記録モードになると、先ずトリガ１スイッチ（トリガスイッチに対する押圧操作の第１段目）がオンにされるのを待って（Ｓ２７−５）、ＡＦ動作を（Ｓ２７−６）、次いでＡＥ動作を（Ｓ２７−７）を夫々行う。この後、トリガ２スイッチ（トリガスイッチに対する押圧操作の第２段目）がオンにされるのを待って（Ｓ２７−８）、フレームメモリへの画像データの書き込み動作を実行する（Ｓ２７−９）。フレームメモリへの書き込みの後、その画像データを読み出してデータ圧縮の処理を施す（Ｓ２７−１０）。この（Ｓ２７−１０）で圧縮処理された画像データはＩＣメモリカードまたは内蔵のバッファメモリに書き込まれる（Ｓ２７−１１）。次いで、記録後の画像データファイルの管理のための処理を行う（Ｓ２７−１２）。
【００７９】
図２７のフローチャートの実施の形態では、上述のステップ（Ｓ２７−１２）に次いで、図２６（Ｂ）について説明した通信用バッファメモリ１８ａにデータを書き込む（Ｓ２７−ＢＵ）。メインＣＰＵ４０は、一旦この通信用バッファメモリ１８ａにデータを書き込んだ後は、専らタイミングコントロール回路１８ｂの制御下で通信用バッファメモリ１８ａから通信制御回路４１´へのデータの転送が行われるため、メインＣＰＵ４０としては通信制御動作から解放される。途中で記録モードが解除されない限りステップ（Ｓ２７−５）以降の動作が繰り返され、記録モードが解除されれば記録および画像データの伝送に係る動作を終了する（Ｓ２７−１６），（Ｓ２７−１７）。
【００８０】
図２８は、図１，図４，図１４及び図１５等に示された実施の形態とブロック図上での構成を同じくするものの、カードコネクタにデバイス構体として無線通信機能を備えた無線通信回路構体が装着され得、この無線通信回路構体による通信が可能になされた発明の実施の形態の動作順序の制御を説明するためのフローチャートである。
（Ｓ２８−１）で伝送モードにされると、先ず「カード確認」（Ｓ２８−２）が実行され、次に「通信機能確認」（Ｓ２８−３）が実行される。この「カード確認」のサブルーチンは、図１０または図１７のものと同様のものを適用できる。また、「通信機能確認」のサブルーチンについては、図１１または図２２のものと同様のものを適用できる。この実施の形態の場合、カードコネクタに通信カードが接続されているときには、そのカードが通信の状態等を常時モニタしていることが必要なものか否かのチエックを行う（Ｓ２８−４）。このようなチエックが必要でないものであると判定されたときには、通信機能部に該当するデバイスとして通常の通信カードが設定されたことを表わす状態表示を行う（Ｓ２８−４）。
【００８１】
上記（Ｓ２８−４）でそのカードが通信の状態等を常時モニタしていることが必要なものであると判定されたときには、通信の状態の確認を行う（Ｓ２８−６）。次いで、数分程度のオーダーの一定時間の遅延処理を行い（Ｓ２８−７）、更に、通信モードが終了しているか否かの確認を行って（Ｓ２８−８）、通信モードが終了しない限り、通信の状態の確認と一定時間の遅延処理のループを継続する（Ｓ２８−６），（Ｓ２８−７）。このループを継続することで、カメラの移動等に伴って通信状態が変化する場合などにおいても、時々刻々変化する状態を確認することができる。通信モードが終了すると通信モードを完了する（Ｓ２８−９）。
【００８２】
図２９は上記「通信状態確認」（図２８のＳ２８−６）のサブルーチンの詳細を説明するためのフローチャートである。
通信状態確認ルーチンに入ると（Ｓ２９−１）、先ず主電源が投入されているか否かが判定される（Ｓ２９−２）。次に、カードコネクターにデバイスが装着されているか否か（カードコネクターを含むカードドライブがアクティブか否か）が判定される（Ｓ２９−３）。この（Ｓ２９−３）は、カード所定の信号線に接触することで判定される。ここでカードコネクターにデバイスが装着されていると判定されると、そのデバイス（カード）に対して電源ＶＣＣの＋５Ｖが給電され（Ｓ２９−４）、カードの属性情報が読み出される（Ｓ２９−５）。
【００８３】
ステップ（Ｓ２９−５）で読み出された属性情報に基づき、そのカードがＩＣメモリカード（記録媒体）か通信カード（通信機能回路構体）かが判定され（Ｓ２９−６）、ＩＣメモリカードであると判定されたときには、エラー表示を行い（Ｓ２９−１２）、電源ＶＣＣの＋５Ｖの給電をオフにして（Ｓ２９−１１）確認を終了する（Ｓ２９−１３）。ステップ（Ｓ２９−６）で通信カードであると判定されたときには、既述のカード機能フラグを“１”にセットする（Ｓ２９−７）。次に、通信カードを初期化し（Ｓ２９−８）、更に、通信伝搬チエックを行う（Ｓ２９−９）。通信伝搬チエックとは、当該時点でカメラが設置されている環境では良好な通信（伝送）が行えるかどうかのチエックである。ステップ（Ｓ２９−９）の通信伝搬チエックで良好な伝搬状態が確保できると判定されたときには、通信状態のフラグＴＲＮ．ＣＯＮＤを“１”にセットする（Ｓ２９−１０）。この通信状態のフラグＴＲＮ．ＣＯＮＤがセットされると電源ＶＣＣの＋５Ｖの給電をオフにして（Ｓ２９−１１）確認を終了する（Ｓ２９−１３）。
【００８４】
図３０は、図２８と略同様であるが、通信状態の確認のルーチンの中に通信状態表示の動作を設けた、他の実施の形態の動作順序の制御を説明するためのフローチャートである。
（Ｓ３０−１）で伝送モードにされると、図２８の実施の形態と同様に、先ず「カード確認」（Ｓ３０−２）、次に「通信機能確認」（Ｓ３０−３）が実行される。この「カード確認」のサブルーチンは図１０または図１７のものと同様のものを適用できる。また、「通信機能確認」のサブルーチンについては、図１１または図２２のものと同様のものを適用できる。この実施の形態の場合、カードコネクタに通信カードが接続されているときには、そのカードが通信の状態等を常時モニタしていることが必要なものか否かのチエックを行う（Ｓ３０−４）。このようなチエックが必要でないものであると判定されたときには、通信機能部に該当するデバイスとして通常の通信カードが設定されたことを表す状態表示を行う（Ｓ３０−４）。
【００８５】
上記（Ｓ３０−４）でそのカードが通信の状態等を常時モニタしていることが必要なものであると判定されたときには、図２９について既述の通信の状態の確認を行う（Ｓ３０−６）。次いで、数分程度のオーダーの一定時間の遅延処理を行い（Ｓ３０−７）、更に、通信モードが終了しているか否かの確認を行って（Ｓ３０−８）、通信モードが終了しない限り、通信の状態の確認と一定時間の遅延処理のループを継続する（Ｓ３０−６），（Ｓ３０−７）。図２８について既述の通り、このループを継続することで、カメラの移動等に伴って通信状態が変化する場合などにおいても、時々刻々変化する状態を確認することができる。通信モードが終了すると通信モードを完了する（Ｓ３０−９）。以上の図３０の実施の形態では、特に、上記ループによる通信状態の確認のルーチンの中に、通信モードが終了していないときには（Ｓ３０−８）、通信状態表示の処理動作が設けられている（Ｓ３０−１０）。
【００８６】
図３１は図３０のステップ（Ｓ３０−１０）による通信状態の表示の様子を示す図である。この表示は、表示手段としての、図１或いは図１４のＥＶＦ２７、またはＳ端子２４或いはビデオ出力端子２６接続されたモニタ上でなされ得る。図３１で、画面下段の１行の“ＴＲＡＮＳＭＩＴ  ＣＯＮＤＩＴＩＯＮ＝ＧＯＯＤ”は、伝送状態が良好であることを表す。図３０の実施の形態では、このような通信状態表示が常時なされる。
尚、上記の通信カード、即ち、無線通信機能を備えた無線通信回路構体として、携帯電話用回線モデム、デジタル携帯電話用モデム、デジタル回線用アダプタ、ＩＳＤＮ回線・無線回線用アダプタ、ＰＨＳ用赤外光アダプタ、無線ＬＡＮ用ネットワークアダプタ等がこれに該当する。
【００８７】
図３２は図１および図１４の実施の形態におけるスイッチ群３８の詳細を示す図である。図示のように、種々の動作状態の表示などを行うＬＣＤパネル３７および本カメラに対する種々の操作を行うためのスイッチ群３８がサブＣＰＵ３９と接続されている。また、サブＣＰＵ３９とメインＣＰＵ４０とが接続されて、サブＣＰＵ３９で受け付けられたスイッチ群３８に対する操作がメインＣＰＵ４０で認識され、既述の種々の制御動作がなされるように構成されている。
【００８８】
スイッチ群３８の種々の操作キーについて次に説明する：
（ダウン）………ＥＶＦやモニタ画面上で種々の項目を逆順に選択するキー
（アップ）………ＥＶＦやモニタ画面上で種々の項目を正順に選択するキー
（テレ）…………ズーム操作でテレ側にする（倍率を上げる）操作用のキー
（ワイド）……ズーム操作でワイド側にする（倍率を下げる）操作用のキー
（トリガ１）……………………………………シャッタ釦の１段目操作のキー
（トリガ２）…………………シャッタ釦の２段目操作（撮影トリガ）のキー
“＋”…各種の設定、ホワイトバランスや露出補正の選択で増加操作のキー
“−”…各種の設定、ホワイトバランスや露出補正の選択で減少操作のキー
ＣＡＭＥＲＡ／ＴＲＡＮＳＭＩＴ……カメラ動作と伝送動作の動作切換キー
ＰＬＡＹ／ＲＥＣ………………………………再生と記録とのモード切換キー
Ｆｌａｓｈ………ストロボの、常時発光，オート，オフ等のモード選択キー
Ｆｏｃｕｓ…マニュアルフォーカスとオートフォーカスとのモード選択キー
ＷＢ……………………………………ホワイトバランスの切り換え操作のキー
Ｍｏｄｅ…画像圧縮率，連写，単写等各種の記録モードの選択操作用のキー
Ａｕｔｏ／Ｍａｎｕ……全ての動作についての自動と手動との切換用のキー
Ｔｒａｎｓｍｉｔ  Ｓｅｔ………………各種の伝送機能の設定操作用のキー
Ｔｒａｎｓｍｉｔ  Ｍｏｄｅ……………各種伝送モードの選択操作用のキー
Ｔｒａｎｓｍｉｔ  Ｃａｎｃｅｌ………伝送を途中で中断する操作用のキー
Ｐｏｗｅｒ……………………………………………………主電源操作用のキー
【００８９】
上述の実施の形態においては、画像の通信については、カメラ側から送信する場合についてのみ詳述したが、これらの実施の形態による通信は、カメラ側で受信する場合においても略同様に有効なものである。この場合には、内蔵バッファメモリまたは別のカードコネクタに装着されたメモリカードにデータを受信することとなるため、受信データ受入れのための媒体や機能部の切り換え制御や、切り換え状態の表示等、送信において説明したものと略同様に操作性に優れた通信機能を有するカメラが実現できる。
【００９０】
以上の各実施の形態についてその構成並びに技術課題および効果について次に要約する。
【００９１】
（１）光学系により結像された像を画像信号に変換して出力する撮像手段と、
自己のデバイス構体装着部に装着されたデバイス構体を着脱自在に且つこのデバイス構体に対する信号の授受が可能なように保持するためのデバイス構体保持手段と、
上記撮像手段から出力された画像信号を処理しこの信号に対応する画像データを上記デバイス構体保持手段のデバイス構体装着部に装着された画像記録媒体に記録する記録手段と、
該記録手段によって画像記録媒体に記録された画像データを外部の回線を通して伝送するための画像通信手段とを備えたカメラであって、
上記記録手段によって処理された画像データを保持するために上記カメラに内蔵されて設けられたバッファメモリと、
上記デバイス構体装着部に上記画像記録媒体が装着されていることを検出したときには上記記録手段に対して該画像記録媒体にのみ画像データを記録せしめ、且つ、上記画像通信手段に対し画像記録媒体に記録された画像データを外部の回線を通して伝送せしめるように制御する制御手段と、
を備えたことを特徴とするカメラ。
【００９２】
上記（１）の発明以前、画像通信手段を内蔵したカメラでは、通信に使用するシリアル回線ポートは装置固有のハードウエアとして構成されるのが普通であった。近年、ＩＣカードスロットを有しＩＣメモリカードを装着可能になされた機器に対し、同じＩＣカードスロットに適合する通信回路構体としての所謂通信カードが出現した。この通信カードを適用すれば各種の通信形態に対応したデータ通信が可能となる。単一のＩＣカードスロットを有する機器の場合、当然ながら、同時にはＩＣメモリカードかまたは通信カードかのいずれか一方のものしか適用できない。そこで、通信カードを装着した場合でも画像データの記録が行えるようにするために、ＩＣメモリカードに相応するメモリを内蔵した構成のカメラが考えられる。この内蔵メモリに記録を行うに際しては、ＩＣメモリカードへの記録と全く同様のフォーマット（例えば、ＤＯＳファイルフォーマット）で記録する。しかしながら、何等の手段も講じないと、カメラ自体は、被記録画像データをＩＣメモリカードに記録すべきなのか、或いは、内蔵メモリに記録すべきなのか、更には、何処のデバイスに記録されているデータを伝送すべきなのか等を判断できなくなってしまう。
【００９３】
上記（１）の発明は、このような技術課題を解決するものであり、デバイス構体保持手段のデバイス構体装着部（実施の形態ではスロット部の底部にカードコネクタが設けられている）にＩＣメモリカードが装着されたときには、操作者がこのＩＣメモリカード（画像記録媒体）に記録することを意図したためであると考えられるところから、（１）の構成により、自動的に画像記録媒体側に画像データの記録を行うようにしたものであり、利便性を確保したものである。また、記録時に画像記録媒体側に画像データの記録を行うのであるから、データの伝送についても、この画像記録媒体（ＩＣメモリカード）側に記録された画像データを伝送の対象として自動的に選択するようになされ、この点でも利便性が確保される。
【００９４】
（２）光学系により結像された像を画像信号に変換して出力する撮像手段と、
自己のデバイス構体装着部に装着されたデバイス構体を着脱自在に且つこのデバイス構体に対する信号の授受が可能なように保持するためのデバイス構体保持手段と、
上記撮像手段から出力された画像信号を処理しこの信号に対応する画像データを上記デバイス構体保持手段のデバイス構体装着部に装着された画像記録媒体に記録する記録手段と、
上記記録手段によって画像記録媒体に記録された画像データを外部の回線を通して伝送するための画像通信手段とを備えたカメラであって、
上記記録手段によって処理された画像データを保持するために上記カメラに内蔵されて設けられたバッファメモリと、
上記デバイス構体保持手段のデバイス構体装着部に装着されているデバイス構体が画像通信回路構体であることを検出したときには上記記録手段に対して上記バッファメモリに画像データを保持せしめるよう制御し、且つ、上記画像通信手段に対し該画像通信回路構体を用いてこのバッファメモリに保持された画像データを外部の回線を通して伝送せしめるように制御する制御手段と、
を備えたことを特徴とするカメラ。
【００９５】
上記（２）の発明以前、画像通信手段を内蔵したカメラについては、上記（１）の発明以前の技術について説明したような事情にあった。従って、カメラに画像通信回路構体（既述の実施の形態では、所謂通信カード）が装着されたときには、何等の手段も講じないと、カメラ自体は、何処のデバイスにデータを記録すべきなのか、或いは、通信機能部として、カメラに内蔵された画像通信手段を用いるべきなのか画像通信回路構体を用いるべきなのか等を判断できなくなってしまう。
【００９６】
上記（２）の発明は、このような技術課題を解決するものであり、デバイス構体保持手段のデバイス構体装着部に画像通信回路構体（所謂通信カード）が装着されたときには、画像記録時には自動的にカメラに内蔵のバッファメモリに記録を行うと共に、画像通信機能部としては自動的に画像通信回路構体を用いるようにしたものであり、利便性を確保したものである。
【００９７】
（３）光学系により結像された像を画像信号に変換して出力する撮像手段と、
自己のデバイス構体装着部に装着されたデバイス構体を着脱自在に且つこのデバイス構体に対する信号の授受が可能なように保持するためのデバイス構体保持手段と、
上記撮像手段から出力された画像信号を処理しこの信号に対応する画像データを上記デバイス構体保持手段のデバイス構体装着部に装着された画像記録媒体に記録する記録手段と、
上記記録手段によって画像記録媒体に記録された画像データを外部の回線を通して伝送するための画像通信手段とを備えたカメラであって、
上記記録手段によって処理された画像データを保持するために上記カメラに内蔵されて設けられたバッファメモリと、
上記画像通信手段による伝送の対象となる画像データの格納媒体を上記画像記録媒体またはバッファメモリのいずれかのうちから選択する操作を行うための伝送データ保持媒体選択手段と、
を備えたことを特徴とするカメラ。
【００９８】
上記（３）の発明以前、画像通信手段を内蔵したカメラについては、上記（１）の発明以前の技術について説明したような事情にあった。従って、カメラに画像記録媒体（実施の形態では、ＩＣメモリカード）が装着されたときには、何等の手段も講じないと、カメラ自体は、伝送の対象とするデータの記録元はカメラに内蔵のバッファメモリなのか、或いは、装着された画像記録媒体なのかを判断できなくなってしまう。
【００９９】
上記（３）の発明は、このような技術課題を解決するものであり、デバイス構体保持手段に画像記録媒体（ＩＣメモリカード）が装着された状態で画像の伝送を行うに際して、伝送の対象とするデータの記録元であるデバイスとして、カメラに内蔵のバッファメモリを選ぶか、或いは、装着された画像記録媒体を選ぶのかを任意に選択する操作を行うための伝送データ保持媒体選択手段を備えることにより、使用時での操作者の意志を忠実に反映し得るようにして利便性を確保したものである。
【０１００】
（４）上記伝送データ保持媒体選択手段により選択された画像データの格納媒体を表す表示を行うための表示手段を更に備えたことを特徴とする上記（３）に記載のカメラ。
【０１０１】
上記（４）の発明は上記（３）の発明の課題およびその解決手段に関して、特に、伝送データ保持媒体選択手段を備えてこれに対する操作によって選択されたデバイスがいずれのものであるか、現状ではいずれのデバイスが選択された状態にあるのかが明確に認識され得、操作性が一層向上する。
【０１０２】
（５）光学系により結像された像を画像信号に変換して出力する撮像手段と、
自己のデバイス構体装着部に装着されたデバイス構体を着脱自在に且つこのデバイス構体に対する信号の授受が可能なように保持するためのデバイス構体保持手段と、
上記撮像手段から出力された画像信号を処理しこの信号に対応する画像データを上記デバイス構体保持手段のスロット部に装着された画像記録媒体に記録する記録手段と、
上記記録手段によって画像記録媒体に記録された画像データを外部の回線を通して伝送するための画像通信手段とを備えたカメラであって、
上記記録手段によって処理された画像データを保持するために上記カメラに内蔵されて設けられたバッファメモリと、
上記デバイス構体保持手段のデバイス構体装着部に装着されているデバイス構体が画像通信回路構体がであることを検出したときには上記記録手段に対して上記バッファメモリに画像データを保持せしめるよう制御する制御手段と、
上記バッファメモリに保持された画像データを外部の回線を通して伝送するに際し、上記伝送のための機能部として画像通信手段または画像通信回路構体のいずれかを選択する操作を行うための通信機能部選択手段と、
を備えたことを特徴とするカメラ。
【０１０３】
上記（５）の発明以前、画像通信手段を内蔵したカメラについては、上記（１）の発明以前の技術について説明したような事情にあった。従って、カメラに画像通信回路構体（既述の実施の形態では、所謂通信カード）が装着されたときには、何等の手段も講じないと、カメラ自体は、何処のデバイスに格納されたデータを伝送すべきなのか、或いは、通信機能部として、カメラに内蔵された画像通信手段を用いるべきなのか画像通信回路構体を用いるべきなのか等を判断できなくなってしまう。
【０１０４】
上記（５）の発明は、このような技術課題を解決するものであり、デバイス構体保持手段のデバイス構体装着部に画像通信回路構体（所謂通信カード）が装着されたときには、画像伝送時には伝送の対象とするデータの記録元であるデバイスとして、自動的にカメラに内蔵のバッファメモリを選ぶと共に、画像通信機能部としてカメラに内蔵された画像通信手段を用いるか或いは画像通信回路構体を用いるかを任意に選択できるようにしたものであり、使用時に操作者の意志を忠実に反映させるようにして利便性を確保したものである。
【０１０５】
（６）光学系により結像された像を画像信号に変換して出力する撮像手段と、
自己のデバイス構体装着部に装着されたデバイス構体を着脱自在に且つこのデバイス構体に対する信号の授受が可能なように保持するためのデバイス構体保持手段と、
上記撮像手段から出力された画像信号を処理しこの信号に対応する画像データを上記デバイス構体保持手段のデバイス構体装着部に装着された画像記録媒体に記録する記録手段と、
上記記録手段によって画像記録媒体に記録された画像データを外部の回線を通して伝送するための画像通信手段とを備えたカメラであって、
上記デバイス構体保持手段は画像記録媒体および画像通信回路構体のいずれにも適合する複数のデバイス構体装着部を有してなり、更に、
上記デバイス構体保持手段のいずれかの上記デバイス構体装着部に画像通信回路構体が装着されていることを検出したときには当該画像データを外部の回線を通して伝送するに際し、上記伝送のための機能部として画像通信手段または画像通信回路構体のいずれかを選択する操作を行うための通信機能部選択手段を備えたことを特徴とするカメラ。
【０１０６】
上記（６）の発明以前、画像通信手段を内蔵したカメラについては、上記（１）の発明以前の技術について説明したような事情にあった。従って、カメラに画像通信回路構体（既述の実施の形態では、所謂通信カード）が装着されたときには、何等の手段も講じないと、カメラ自体は、通信機能部として、カメラに内蔵された画像通信手段を用いるべきなのか画像通信回路構体を用いるべきなのか等を判断できなくなってしまう。
【０１０７】
上記（６）の発明は、このような技術課題を解決するものであり、デバイス構体保持手段のデバイス構体装着部に画像通信回路構体（所謂通信カード）が装着されたときには、画像伝送時には通信機能部として、カメラに内蔵された画像通信手段を用いるかは或いは画像通信回路構体を用いるかを任意に選択できるようにしたものであり、使用時に操作者の意志を忠実に反映させるようにして利便性を確保したものである。
【０１０８】
（７）上記通信機能部選択手段により選択されたものが上記画像通信手段または画像通信回路構体のいずれであるかを表示するための表示手段を更に備えたことを特徴とする上記（５）または（６）に記載のカメラ。
【０１０９】
上記（７）の発明は上記（５）または（６）の発明の課題およびその解決手段に関して、特に、上記通信機能部選択手段を備えてこれに対する操作によって選択されたデバイスがいずれのものであるか、現状ではいずれのデバイスが選択された状態にあるのかが明確に認識され得、操作性が一層向上する。
【０１１０】
（８）上記通信機能部選択手段により選択されなかった上記画像通信手段または画像通信回路構体に係る給電を停止するための給電停止手段を更に備えたことを特徴とする上記（５）または（６）記載のカメラ。
【０１１１】
上記（８）の発明は上記（５）または（６）の発明の課題に加えて、従来では、画像通信回路構体（所謂、通信カード）が装着されたときには常時この画像通信回路構体に給電する構成であったため、携帯に適した構成にするために電源容量が極めて制限されたカメラなどでは電源の消耗が著しいという不具合があったという課題、およびその解決手段に関して、特に、上記給電停止手段を更に備えたことで、電力の消費を極力抑制して小容量の電源でも長時間使用できることとなり、操作性が一層向上する。
【０１１２】
（９）光学系により結像された像を画像信号に変換して出力する撮像手段と、
自己のデバイス構体装着部に装着されたデバイス構体を着脱自在に且つこのデバイス構体に対する信号の授受が可能なように保持するためのデバイス構体保持手段と、
上記撮像手段から出力された画像信号を処理しこの信号に対応する画像データを上記デバイス構体保持手段のデバイス構体装着部に装着された画像記録媒体に記録する記録手段と、
上記記録手段によって画像記録媒体に記録された画像データを外部の回線を通して伝送するための画像通信手段とを備えたカメラであって、
上記デバイス構体保持手段は画像記録媒体および画像通信回路構体のいずれにも適合する複数のデバイス構体装着部を有してなり、更に、
上記デバイス構体保持手段のいずれかの上記デバイス構体装着部に画像通信回路構体が装着されていることを検出したときには当該画像データを外部の回線を通して伝送するに際し、この画像通信回路構体を優先的に用いて画像を伝送する優先選択手段を備えたことを特徴とするカメラ。
【０１１３】
上記（９）の発明以前、画像通信手段を内蔵したカメラについては、上記（１）の発明以前の技術について説明したような事情にあった。従って、カメラに画像通信回路構体（既述の実施の形態では、所謂通信カード）が装着されたときには、何等の手段も講じないと、カメラ自体は、通信機能部として、カメラに内蔵された画像通信手段を用いるべきなのか画像通信回路構体を用いるべきなのか等を判断できなくなってしまう。
【０１１４】
上記（９）の発明は、このような技術課題を解決するものであり、デバイス構体保持手段のデバイス構体装着部に画像通信回路構体（所謂通信カード）が装着されたときには、画像伝送時には通信機能部として画像通信回路構体を用いることが優先的に選択されるようにしたものであり、使用時の利便性を確保したものである。
【０１１５】
（１０）光学系により結像された像を画像信号に変換して出力する撮像手段と、
上記撮像手段から出力された画像信号を処理しこの信号に対応する画像データを当該カメラに着脱自在に装着された画像記録媒体に記録する記録手段と、
上記記録手段によって画像記録媒体に記録された画像データを外部の回線を通して伝送するための画像通信手段とを備えたカメラであって、
上記画像通信手段は、上記記録手段による画像記録媒体への記録が完了するタイミングに基づいて、予め設定されている相手先への画像データの伝送を開始するように構成されてなるものであることを特徴とするカメラ。
【０１１６】
上記（１０）の発明以前、画像通信機能部を持ったカメラでは、撮影が全て完了してからこの撮影による記録画像データファイルの伝送を行うように構成されていた。このため、撮影が完了してから始めて画像ファイルの伝送のための操作に移ることとなり、撮影から伝送完了までに要する全時間が不所望に長くなってしまうといった問題があった。
【０１１７】
上記（１０）の発明は上記の発明の課題に関して、特に、上記通信手段を上記記録手段による画像記録媒体への記録が完了するタイミングに基づいて、予め設定されている相手先への画像データの伝送を開始するように構成したため、１回の撮影後速やかに予め設定されている相手先への画像データの伝送が開始され、次の撮影までの合間の時間を有効に利用して伝送が行われ、全の撮影から伝送完了までに要する時間が短縮される。
【０１１８】
（１１）上記画像通信手段は、上記記録手段による画像記録媒体への記録が完了するタイミングよりも所定の時間的遅延を経て後画像データの伝送を開始するように構成されてなるものであることを特徴とする上記（１０）に記載のカメラ。
【０１１９】
上記（１１）の発明は上記（１０）の発明の課題に加えて、撮影完了直後に自動的に画像データの伝送が開始されてしまうと撮影に失敗した場合の画像データまで直ちに伝送されてしまい伝送（通信）が無駄になってしまうという課題、およびその解決手段に関して、特に、上記記録（撮影）が完了するタイミングよりも所定の時間的遅延を経て後画像データの伝送を開始するようにしたため、撮影に失敗した場合には伝送をキャンセルする操作を行うだけの時間的余裕が得られ、操作性が一層向上する。
【０１２０】
（１２）上記所定の時間的遅延期間内においてのみ画像データの伝送を未然に中止する伝送中止手段を更に有してなることを特徴とする上記（１１）に記載のカメラ。
【０１２１】
上記（１２）の発明は上記（１１）の発明と同様の課題に関して、特に、上記記録（撮影）が完了するタイミングよりも所定の時間的遅延を経て後画像データの伝送を開始するようにし、この時間的遅延の期間内においてのみ画像データの伝送を未然に中止する伝送中止手段を更に備えたため、撮影に失敗した場合には伝送をキャンセルする操作を行うだけの時間的余裕が得られ、且つ、上記時間的遅延の期間を経過すれば自動的に伝送されるため、撮影が成功する等伝送を意図するときには別段の操作をしなくても伝送が開始されるため、操作性が一層向上する。
【０１２２】
（１３）上記画像通信手段は、伝送の対象とする画像データを保持するための通信用バッファメモリを有してなるものであることを特徴とする上記（１０），（１１）または（１２）に記載のカメラ。
【０１２３】
上記（１３）の発明は上記（１１）または（１２）の発明の課題に加えて、従来では、撮影動作と通信（画像伝送）動作とを時間的に並行して行うことができなという課題、およびその解決手段に関して、特に、上記通信用バッファメモリを更に備えたことで、撮影（画像の記録）と伝送（既記録画像の伝送）とを並行して行えることとなり、操作性が一層向上する。
【０１２４】
（１４）光学系により結像された像を画像信号に変換して出力する撮像手段と、
自己のデバイス構体装着部に装着されたデバイス構体を着脱自在に且つこのデバイス構体に対する信号の授受が可能なように保持するためのデバイス構体保持手段と、
上記撮像手段から出力された画像信号を処理しこの信号に対応する画像データを上記デバイス構体保持手段のデバイス構体装着部に装着された画像記録媒体に記録する記録手段と、
上記記録手段によって画像記録媒体に記録された画像データを外部の回線を通して伝送するための画像通信手段とを備えたカメラであって、
上記デバイス構体保持手段は画像記録媒体および無線通信回路構体のいずれにも適合するデバイス構体装着部を有してなり、更に、
上記デバイス構体保持手段のデバイス構体装着部に無線通信回路構体が装着されていることを検出したときには所定時間毎にこの無線通信回路構体に給電し当該時点での画像通信の可否を判定するための通信判定手段を備えたことを特徴とするカメラ。
【０１２５】
上記（１３）の発明以前、画像通信手段を内蔵したカメラについては、上記（２）の発明以前の技術について説明したような事情にあった。特に、画像通信回路構体（所謂、通信カード）が装着されたときには常時この画像通信回路構体に給電する構成であった。特に画像通信回路構体が無線通信機能に関するものである場合、無線通信での通信状況は電波その他の波動の伝播が阻害され易く、そのときの状況が通信に適するか否かを監視しておく必要があるが、全く給電を継続したままでこの監視を行うのでは電源の消耗が著しい。携帯に適した構成にするために電源容量が極めて制限されたカメラなどでは電源の消耗が著しいということは大きな不具合でもある。
【０１２６】
上記（１３）の発明は、上記の課題に対処するために所定時間毎に上記無線通信回路構体に給電し当該時点での画像通信の可否を判定するための通信判定手段を備えたことにより、電力の消費を極力抑制して小容量の電源でも長時間使用できることとなり、操作性が一層向上する。
【０１２７】
（１５）上記通信判定手段により判定された画像通信の可否を報知するための報知手段を更に備えたことを特徴とする請求項１４に記載のカメラ。
【０１２８】
上記（１５）の発明は上記（１４）の発明の効果に加えて、報知手段により通信の可否に応じて操作者が適切な対応をとることができ、操作性が一層向上する。
【０１２９】
【発明の効果】
以上の説明から理解される如く、本発明のカメラによると、実用上の顕著な効果が得られる。即ち、内蔵固定化された通信機能部に加え、自己に適合する画像通信回路構体を十分に活用し得るカメラが実現できる。
すなわち、請求項１の発明では、デバイス構体保持手段に画像記録媒体が装着されたときには、操作者（ユーザ）がこの画像記録媒体に記録することを意図したと推定できるので、自動的に画像記録媒体に画像データの記録を行うようにしたので、カメラの利便性が確保または改善される。また、記録時には、画像記録媒体に画像データの記録を行うので、データの伝送についても、この画像記録媒体に記録された画像データを伝送の対象として自動的に選択するようにされ且つこの画像データをカメラに内蔵された画像通信手段を用いて外部に伝送するようにしたので、カメラの利便性が確保または改善される。更に、デバイス構体保持手段に画像通信回路構体が装着されたときには、画像記録時には自動的にカメラに内蔵された内蔵メモリに記録を行うと共に、この内蔵メモリに記録された画像データを外部に伝送する際には、画像通信機能部として自動的にデバイス構体保持手段に装着された画像通信回路構体を用いるようにしたものであり、更に利便性が確保または改善される。
また請求２の発明では、デバイス構体保持手段に画像記録媒体が装着されたときには、操作者が画像記録媒体に記録することを意図したと推定されるので、自動的に画像記録媒体に画像データの記録を行うようにしたので、利便性が確保または改善される。また、記録時に画像記録媒体に画像データの記録を行うのであるから、データの伝送についても、この画像記録媒体に記録された画像データを伝送の対象として自動的に選択し且つこの画像データをカメラに内蔵された画像通信手段を用いて外部に伝送するようにしたので、利便性が確保または改善される。更に、デバイス構体保持手段のデバイス構体装着部に画像通信回路構体が装着されたときには、画像記録時には自動的にカメラに内蔵された内蔵メモリに記録を行うと共に、この内蔵メモリに記録された画像データを外部に伝送する際には、画像通信機能部としてカメラに内蔵された画像通信手段を用いるかまたは画像通信回路構体を用いるかを通信機能部選択手段で任意に選択可能にしたので、使用時に操作者の意思を忠実に反映させるようにして利便性が確保または改善される。
【図面の簡単な説明】
【図１】  本発明の一つの実施の形態としての電子カメラの構成を示すブロック図である。
【図２】  図２は図１に示されたカメラの動作の概要を説明するためのフローチャートである。
【図３】  図２の動作におけるＥＶＦでの表示、または、Ｓ端子或いはビデオ出力端子に接続されたモニタ上での表示を示す図である。
【図４】  図１のカメラにおいて、デバイス構体保持手段（カードコネクタ等）に装着された通信カードまたは本カメラに内蔵された通信機能部（通信制御回路等）を選択的に用いて画像通信を行う部分の詳細を示すブロック図である。
【図５】  図１のカメラにおいて、カードコネクタに通信カードが装着され、内蔵メモリに保持された画像データが通信制御回路を介して伝送される場合におけるＥＶＦでの表示、または、Ｓ端子或いはビデオ出力端子に接続されたモニタ上での表示を示す図である。
【図６】  図１及び図４に示された実施の形態とブロック図上での構成を同じくするものの動作の順序の制御を異にする発明の実施の形態を示すフローチャートである。
【図７】  図６の動作におけるＥＶＦでの表示、または、Ｓ端子２４或いはビデオ出力端子２６に接続されたモニタ上での表示を示す図である。
【図８】  図１及び図４に示された実施の形態とブロック図上での構成を同じくするものの動作の順序の制御を異にする発明の実施の形態を示すフローチャートである。
【図９】  図８の動作におけるＥＶＦでの表示、または、Ｓ端子或いはビデオ出力端子に接続されたモニタ上での表示を示す図である。
【図１０】  図２，図６および図８における「カード確認」のサブルーチンの内容を示すフローチャートである。
【図１１】  図２，図６および図８における「通信機能確認」のサブルーチンの内容を示すフローチャートである。
【図１２】  図１及び図４に示された実施の形態とブロック図上での構成を同じくするものの動作の順序の制御を異にする発明の実施の形態を示すフローチャートである。
【図１３】  図１２の動作におけるＥＶＦでの表示、または、Ｓ端子或いはビデオ出力端子に接続されたモニタ上での表示を示す図である。
【図１４】  発明の他の実施の形態を示すブロック図である。
【図１５】  図１４のカメラにおいて、デバイス構体保持手段に装着された通信カード或いは本カメラに内蔵された通信機能部（通信制御回路等）を選択的に用いて画像通信を行う部分の詳細を示すブロック図である。
【図１６】  図１４および図１５の実施の形態による動作における、通信機能部としていずれのデバイスを用いるかの選択のための通信機能選択表示を示す図である。
【図１７】  図１４および図１５の実施の形態による動作における、カード確認のサブルーチンを表すフローチャートである。
【図１８】  図１４および図１５の実施の形態による動作における、通信機能確認のサブルーチンを表すフローチャートである。
【図１９】  図１６同様の表示に基づいて、通信機能部として一つのデバイスを選択した状態での画面表示を示す図である。
【図２０】  図１４及び図１５に示された実施の形態とブロック図上での構成を同じくするものの動作の順序の制御を異にする発明の実施の形態を示すフローチャートである。
【図２１】  図２０の実施の形態におけるＥＶＦでの表示、または、Ｓ端子或いはビデオ出力端子に接続されたモニタ上での表示を示す図である。
【図２２】  図２０の実施の形態による動作における「通信機能確認」のサブルーチンの詳細を説明するためのフローチャートである。
【図２３】  本発明のカメラの実施の形態における記録および画像データの伝送に係る動作を説明するためのフローチャートである。
【図２４】  他の実施の形態における動作を表すフローチャートである。
【図２５】  更に他の実施の形態における動作を表すフローチャートである。
【図２６】  画像データの伝送のための通信機能に関する回路構成を改良した実施の形態を説明するためのブロック図である。
【図２７】  図２６の（Ｂ）の構成部分を持った実施の形態における動作を示すフローチャートである。
【図２８】  図１，図４，図１４及び図１５等に示された実施の形態とブロック図上での構成を同じくするものの、カードコネクタにデバイス構体として無線通信機能を備えた無線通信回路構体が装着され得、この無線通信回路構体による通信が可能になされた発明の実施の形態の動作順序の制御を説明するためのフローチャートである。
【図２９】  図２８の実施の形態の動作における「通信状態確認」動作のサブルーチンの詳細を説明するためのフローチャートである。
【図３０】  図２８の実施の形態の動作における通信状態の確認のルーチンの中に通信状態表示の動作を設けた、他の実施の形態の動作順序の制御を説明するためのフローチャートである。
【図３１】  図３０の動作中での通信状態のステップによる表示の様子を示す図である。
【図３２】  図１および図１４の実施の形態におけるスイッチ群の詳細を示す図である。
【符号の説明】
１、２、３  撮像手段
１５        ＩＣカードインターフェース回路（記録手段）
１６        カードコネクタ（デバイス構体保持手段）
１７        ＩＣメモリカード（画像記録媒体）
１８        バッファメモリ（内蔵メモリ）
３９、４０  ＣＰＵ（制御手段）
４１        通信制御回路（通信機能部選択手段）
４３        通信用外部モデム（画像通信手段）
４４        外部の回線
４５        通信カード（画像通信回路構体）
【図１】
0003739446.tif 000002
【図２】
0003739446.tif 000003
【図３】
0003739446.tif 000004
【図５】
0003739446.tif 000005
【図７】
0003739446.tif 000006
【図４】
0003739446.tif 000007
【図６】
0003739446.tif 000008
【図８】
0003739446.tif 000009
【図９】
0003739446.tif 000010
【図１３】
0003739446.tif 000011
【図１６】
0003739446.tif 000012
【図１０】
0003739446.tif 000013
【図１１】
0003739446.tif 000014
【図１２】
0003739446.tif 000015
【図１４】
0003739446.tif 000016
【図１５】
0003739446.tif 000017
【図１７】
0003739446.tif 000018
【図１８】
0003739446.tif 000019
【図１９】
0003739446.tif 000020
【図２１】
0003739446.tif 000021
【図３１】
0003739446.tif 000022
【図２０】
0003739446.tif 000023
【図２２】
0003739446.tif 000024
【図２３】
0003739446.tif 000025
【図２４】
0003739446.tif 000026
【図２５】
0003739446.tif 000027
【図２６】
0003739446.tif 000028
【図２７】
0003739446.tif 000029
【図２８】
0003739446.tif 000030
【図２９】
0003739446.tif 000031
【図３０】
0003739446.tif 000032
【図３２】
0003739446.tif 000033